(57)【特許請求の範囲】
【請求項１】
送風機の吸引作用が及ぶ粉塵輸送用ダクト管の接続に用いるベント管の内部に、旋回流を発生させる旋回流発生手段と、一端をこの旋回流発生手段の下流側部分で、且つ、上記ベント管内の管壁に設けた取付部に固定したフレキシブルな紐体を設けたことを特徴とするダクト管用粉塵堆積防止装置。
【請求項２】
旋回流発生手段として、複数枚の羽根片を軸線方向に対して角度を持たせて取付けた固定羽根を用いることを特徴とする請求項１に記載のダクト管用粉塵堆積防止装置。
【発明の詳細な説明】
【０００１】
【発明の属する技術分野】
本発明は、発塵源から収集した粉塵（ダクト）を、送風機の吸引作用に乗せて集塵機等の処理装置側に輸送する粉塵輸送用ダクト管の技術分野に属するものであって、具体的には、このダクト管の内部に輸送中の粉塵が堆積しないようにする粉塵堆積防止装置に関するものである。
【０００２】
【従来の技術】
熔接作業や溶断作業によって発生したヒュームや可燃性のスパッタ（火の粉）等の粉塵を集塵機で収集する場合には、粉塵輸送用ダクト管の途中に不燃性のプレフイルタを設けたり、例えば特願平９−９４６４７号の出願に見られる集塵フード装置を用いたりして、火の粉が直接集塵機側に吸引されないように工夫している。
【０００３】
ところが、粉塵輸送用ダクト管の内部にヒュームやスパッタの燃カスが残ってこれが堆積した状態のまま、何んらかの理由で微細なスパッタが燃えながらダクト管の内部に吸引された場合には、これ等堆積したヒュームやスパッタの燃カスに着火してこれが新たな火種となり、粉塵爆発を起したり火災の原因となる問題があった。
【０００４】
そこで本出願人は、上述した出願に見られるように、送風機（集塵機）に通じる輸送ダクト管の管径を集塵フードに連設した吸引ダクト管の管径よりも細く造り、且つ、これ等両ダクト管を接続して、輸送ダクト管の管内風速を吸引ダクト管の管内風速よりも早くすることにより、輸送ダクト管の内部にスパッタの燃えカスやヒュームが堆積しないようにして、上述した粉塵爆発や火災の発生を防止できるように構成した集塵フード装置を開発した。
【０００５】
【発明が解決しようとする課題】
しかし、輸送ダクト管の管径を細くして管内風速を早くしただけでは、必ずしもスパッタの燃えカスやヒュームの全てを完全、確実に輸送できるものではなく
、長期の使用によってこれ等が僅かずつ管内に残って堆積物となってしまう問題があった。
【０００６】
従って本発明の技術的課題は、輸送ダクト管の内部に対して、スパッタの燃えカスやヒュームを排除するための力を加えることにより、その堆積を確実に防止することである。
【０００７】
【課題を解決するための手段】
上記の技術的課題を解決するために本発明で講じた手段は以下の如くである。
【０００８】
（１）  送風機の吸引作用が及ぶ粉塵輸送用ダクト管の接続に用いるベント管の内部に、旋回流を発生させる旋回流発生手段と、一端をこの旋回流発生手段の下流側部分で、且つ、上記ベント管内の管壁に設けた取付部に固定したフレキシブルな紐体を設けること。（請求項１）
【０００９】
（２）  旋回流発生手段として、複数枚の羽根片を軸線方向に対して角度を持たせて取付けた固定羽根を用いること。（請求項２）
【００１０】
上記（１）で述べた請求項１に係る手段によれば、粉塵輸送中はベント管の内部に常に旋回流が発生し、合せて、この旋回流によって一端が管壁に設けた取付部に固定されているフレキシブルな紐体が螺旋状にグルグルと回転するため、このベント管を輸送用ダクト管の曲り部分の接続管として用いることにより、上記紐体の回転運動によってダクト管内の内壁に堆積したスパッタの燃えカスやヒューム、或は、内壁に堆積しつつあるこれ等の粉塵にショックを与えて再び吸引気流に乗せて強制的に輸送できるから、ダクト管内への粉塵の堆積を確実に防止することを可能にする。
【００１１】
上記（２）で述べた請求項４に係る手段によれば、旋回流発生手段として固定羽根を設けることによって、吸引気流が生じるダクト管の内部に自然に旋回流を発生させることができるため、モータ等の動力を用いなくてもスパッタの燃えカスやヒュームの堆積を確実に排除する堆積防止作用を発揮することを可能にする。
【００１２】
以上の如くであるから、上記（１）と（２）の手段によって上述した技術的課題を解決して、前記従来の技術の問題点を解消することができる。
【００１３】
【発明の実施の形態】
本発明の実施の形態を添付した図面と共に説明すると、図１は本発明に係るダクト管用粉塵堆積防止装置の構成を説明したものであって、図中、１は作業室、Ｔはワーク、Ｒは溶接機、ＳＰ…は溶接又は溶断作業等によって生じたヒューム及びスパッタ等の粉塵、２は作業室１の上面に取付けた集塵フード、２Ｈは集塵フード２に直立した状態に接続した吸引ダクト管、３は粉塵輸送用のダクト管、４はこのダクト管３の先端に接続した集塵機、３Ｔは上記の吸引ダクト管２Ｈと輸送用ダクト管３の間を接続するベント管を示す。
【００１４】
同じく図１と、本発明の要部を拡大して示した図２に於いて、５は上述したベント管３Ｔの内部に取付けた固定羽根であって、複数枚の羽根片を軸線方向に対して傾斜させて取付けることによって構成したこの遠心分離構造の固定羽根５は、上記集塵機４に設けた送風機（図示省略）の吸引作用を受けて吸引ダクト管２Ｈからベント管３Ｔ及び輸送用ダクト管３の内部を流れる気流を旋回させる旋回流発生機能を発揮する仕組に成っている。
【００１５】
また、６は一端を上記固定羽根５の下流側（集塵機４側）のベント管３Ｔ内の管壁に設けた取付部６Ａに取付たフレキシブルな紐体であって、その全長はベント管３Ｔに接続した輸送用ダクト管３の全長と略同じ長さに形成されていて、上記集塵機４の送風機を運転すると、上記固定羽根５による旋回流発生作用によって輸送用ダクト管３の内部で螺旋状にグルグルと回転するため、その衝撃によって輸送用ダクト管３の内壁に堆積し、又は、内壁に堆積しつつある粉塵ＳＰを攪拌し、再び気流に乗せて集塵機４側に集塵させるように構成されている。
【００１６】
尚、上述した本発明の構成では、固定羽根５と紐体６の双方をベント管３Ｔの内部に取付けているが、これ等固定羽根５と紐体６の双方を輸送用ダクト管３の内部に取付けてもよく、また、固定羽根５をベント管３Ｔ内に取付け、紐体６を下流の輸送用ダクト管３の内部に取付けてもよい。
【００１７】
本発明に係るダクト管用粉塵堆積防止装置は以上述べた如き構成であるから、送風機の吸引作用を受けてベント管３Ｔ内を流れる気流を固定羽根５が旋回するため、この旋回気流によって一端をその下流の管壁に設けた取付部６Ａに取付けたフレキシブルな紐体６が、ベント管３Ｔに接続した輸送用ダクト管３の内部で螺旋状にグルグルと回転して、輸送用ダクト管３の内壁に対する粉塵ＳＰの堆積を防止し、再び気流に乗せて集塵機４側に集塵させることができ、また、フレキシブルな紐体６は輸送用ダクト管３の曲がった部分にも入り込んで自在に回転するため、輸送用ダクト管３のあらゆる部分の粉塵ＳＰの堆積を除去することができる。
【００１８】
【発明の効果】
以上述べた次第で、本発明に係るダクト管用粉塵堆積防止装置によれば、送風機の吸引作用を利用して輸送用ダクト管内への粉塵の堆積を排除し、粉塵爆発や火災の発生を防止することができる。
【図面の簡単な説明】
【図１】本発明に係るダクト管用粉塵堆積防止装置の全体を一部断面にして説明した構成図である。
【図２】本発明の要部を拡大して示した断面図である。
【符号の説明】
３                粉塵輸送用ダクト管
３Ｔ              ベント管
４                集塵機
５                固定羽根
６                フレキシブルな紐体
６Ａ              取付部
【図１】
0003545173.tif 000002
【図２】
0003545173.tif 000003